(57)【特許請求の範囲】
【請求項１】
通信回線を介して受信した音声データ及び画像データを一時記憶するための一時記憶手段と、
該一時記憶手段に記憶された音声データに基づいて音声を再生可能な音声再生手段と、
前記一時記憶手段に記憶された画像データに基づいて画像を形成可能な画像形成手段と、
前記音声再生手段による音声の再生及び前記画像形成手段による画像の形成が可能な再生モードを指定するための再生モード指定入力手段と、
該再生モード指定入力手段によって前記再生モードが指定された場合に、前記音声再生手段による音声の再生をすべて実行させた後に続けて前記画像形成手段による画像の形成を実行させる再生制御手段と、
前記一時記憶手段に記憶されている画像データに基づいて前記画像形成手段による画像の形成が実行された場合には、その画像データを前記一時記憶手段から自動消去する消去手段とを備えたこと
を特徴とする通信装置。
【請求項２】
通信回線を介して受信した音声データ及び画像データを一時記憶するための一時記憶手段と、
該一時記憶手段に記憶された音声データに基づいて音声を再生可能な音声再生手段と、
前記一時記憶手段に記憶された画像データに基づいて画像を形成可能な画像形成手段と、
前記画像形成手段による画像の形成を実行させるか否かの選択を入力するための選択入力手段と、
前記音声再生手段による音声の再生及び前記画像形成手段による画像の形成が可能な再生モードを指定するための再生モード指定入力手段と、
該再生モード指定入力手段によって前記再生モードが指定された場合に、前記音声再生手段による音声の再生をすべて実行させた後、前記選択入力手段による入力結果に基づいて、前記画像形成手段による画像の形成を実行させる再生制御手段と、
前記一時記憶手段に記憶されている画像データに基づいて前記画像形成手段による画像の形成が実行された場合には、その画像データを前記一時記憶手段から自動消去する消去手段とを備えたこと
を特徴とする通信装置。
【請求項３】
通信回線を介して受信した音声データ及び画像データを一時記憶するための一時記憶手段と、
該一時記憶手段に記憶された音声データに基づいて音声を再生可能な音声再生手段と、
前記一時記憶手段に記憶された画像データに基づいて画像を形成可能な画像形成手段と、
前記音声再生手段による音声の再生と前記画像形成手段による画像の形成とを実行させる第１の処理モードと、前記再生制御手段に前記音声再生手段による音声の再生のみを実行させる第２の処理モードと、前記再生制御手段に前記画像形成手段による画像の形成のみを実行させる第３の処理モードの内で一の処理モードの選択を入力するための処理モード選択入力手段と、
前記音声再生手段による音声の再生及び前記画像形成手段による画像の形成が可能な再生モードを指定するための再生モード指定入力手段と、
該再生モード指定入力手段によって前記再生モードが指定された場合に、前記処理モード選択入力手段によって入力された処理モードに応じた所定の処理を実行させる再生制御手段と、
前記一時記憶手段に記憶されている画像データに基づいて前記画像形成手段による画像の形成が実行された場合には、その画像データを前記一時記憶手段から自動消去する消去手段とを備え、
前記再生制御手段は、前記処理モード選択入力手段により第１の処理モードが選択入力されたとき、前記音声再生手段による音声の再生をすべて実行させた後に続けて、前記画像形成手段による画像の形成を実行させること
を特徴とする通信装置。
【請求項４】
前記画像形成手段は、前記一時記憶手段に記憶されている画像データに基づいて、記録媒体上に画像を形成することを特徴とする請求項１〜３のいずれかに記載の通信装置。
【請求項５】
前記画像形成手段は、前記一時記憶手段に記憶されている画像データに基づいて、表示装置の表示面上に画像を形成することを特徴とする請求項１〜３のいずれかに記載の通信装置。
【発明の詳細な説明】
【０００１】
【発明の属する技術分野】
本発明は、通信回線を介して受信した音声データ及び画像データを一時記憶可能であり、その一時記憶された音声データを再生させたり、一時記憶された画像データに基づいて画像を形成させたりすることが可能な通信装置に関する。
【０００２】
【従来の技術及び発明が解決しようとする課題】
従来より、例えばファクシミリ装置において、音声メッセージとファクシミリメッセージとを共に一時記憶しておく機能を持ったものがある。これは、ファクシミリ送受信の機能に加えて通常の電話機としての機能を兼ね備えたものであり、別々の送信元からきた音声メッセージ及びファクシミリメッセージを記憶しておいたり、あるいは同じ送信元の場合にはファクシミリメッセージに関連した音声メッセージも残せるため、非常に使い勝手がよい。
【０００３】
そして、この場合のメッセージ再生は次のようにしていた。すなわち音声メッセージの再生の場合には、その再生専用のボタンが準備されていることが多い。これは、留守番機能付きの電話機における再生ボタンをそのま適用したような構成である。一方、ファクシミリメッセージの再生については、汎用の機能選択ボタンなどを操作してファクシミリメッセージに関する再生モードにし、さらにプリントアウトのモードを選択するといった操作をしてプリントアウトさせるようにしていた。
【０００４】
しかしながら、このような汎用の機能選択ボタンを利用する場合には、操作に熟達していない利用者にとっては使い難いものとなる傾向にあった。もちろん、ファクシミリメッセージを再生する専用のボタンを準備してもよいのであるが、操作ボタン数を増やすことは好ましくないので、汎用の機能選択ボタンを利用していたのである。
【０００５】
本発明は上述の問題を解決するためになされたものであり、操作ボタンなどを増やすことなく、記憶されている音声データ及び画像データの再生関連処理を実行することができるようにした通信装置を提供することを目的とする。
【０００６】
【課題を解決するための手段及び発明の効果】
上記目的を達成するためになされた請求項１に記載の通信装置は、通信回線を介して受信した音声データ及び画像データを一時記憶するための一時記憶手段と、該一時記憶手段に記憶された音声データに基づいて音声を再生可能な音声再生手段と、前記一時記憶手段に記憶された画像データに基づいて画像を形成可能な画像形成手段と、前記音声再生手段による音声の再生及び前記画像形成手段による画像の形成が可能な再生モードを指定するための再生モード指定入力手段と、該再生モード指定入力手段によって前記再生モードが指定された場合に、前記音声再生手段による音声の再生をすべて実行させた後に続けて前記画像形成手段による画像の形成を実行させる再生制御手段と、前記一時記憶手段に記憶されている画像データに基づいて前記画像形成手段による画像の形成が実行された場合には、その画像データを前記一時記憶手段から自動消去する消去手段とを備えたことを特徴とする。
【０００７】
本通信装置によれば、通信回線を介して受信した音声データと画像データが両方記憶されている場合であっても、利用者が再生モード指定入力手段を操作すれば、音声再生手段による音声の再生及び画像形成手段による画像の形成が共に可能な再生モードに指定することができ、この再生モードが指定されると、再生制御手段が音声再生手段による音声の再生をすべて実行させた後に続けて前記画像形成手段による画像の形成を実行させる。
【０００８】
したがって、例えば留守録機能付きのファクシミリ装置において音声メッセージとファクシミリメッセージの両方が記憶されていた場合であっても、この再生モード指定入力手段を操作するだけで、その両方を再生可能なモードにできるため、使い勝手が向上する。特に、音声メッセージに関してはワンタッチで再生できるようなものが従来からあったが、ファクシミリメッセージに関しては、汎用の機能選択ボタンなどを操作してファクシミリメッセージに関する再生モードにし、さらにプリントアウトのモードを選択するといった操作が必要となってくるため、操作に熟達していない利用者にとっては使い難いものとなる傾向にあった。それに対して本通信装置の場合、それらのメッセージを再生したいと思った利用者は、とりあえず再生モード指定入力手段を操作すればよいため非常に便利である。
【０００９】
そして、音声再生手段による音声の再生をすべて実行させた後に続けて前記画像形成手段による画像の形成を実行させることにより、上述したファクシミリ装置において音声とファクシミリのメッセージの再生をワンタッチで行えるため非常に便利である。
また、消去手段が、一時記憶手段に記憶されている画像データに基づいて画像形成手段による画像の形成が実行された場合には、その画像データを一時記憶手段から自動消去する。これは、画像データの場合には相対的にデータ量が大きいため、いつまでも残しておくと次にきたデータを新規に記憶できない状況が生じる可能性があるため、消去するタイミングとして、画像の形成により一応消去してもよいと判断するのである。また、音声データについては、相対的にデータ量が小さいため、特にこのような消去処理を自動的に実行するようにはせず、逆に利用者が消去したいと意図した場合に消去できるような機能をもたせておく方が好ましい。但し、このように画像データを自動消去することとしているため、本発明の通信装置では、再生制御手段が、音声再生手段によるすべての音声の再生を、画像形成手段による画像の形成より先に実行させることにしている。このようにすれば、画像データの自動消去した場合であっても、音声データの実行だけはできるからである。特に一般家庭で上述のファクシミリ装置を使用することを考えると、ファクシミリメッセージは父親だけが主に利用し、音声メッセージは家族全体で利用するといった状況がある。この場合、ファクシミリメッセージについてはプリントアウトしてデータは消去した場合であっても、家族の誰でも音声メッセージは聞けるようにしておいた方がよいので、すべての音声再生を先に実行する設定が好ましい。
なお、画像形成手段は、一時記憶手段に記憶された画像データに基づいて画像を形成可能であればよく、その形成対象を限定するものではない。したがって、例えば通常のファクシミリ装置のように記録紙などの記録媒体上に画像を形成する構成でもよいし、表示装置の表示面上に画像を形成する構成でもよい。
【００１０】
なお、これらのいずれか一方だけを再生したい場合もある。例えば自分が内容を知りたいのは音声メッセージだけであれば、ファクシミリメッセージの方も自動的にプリントアウトされてしまうのは好ましくない場合も考えられる。
【００１１】
そのような点を考慮して次のようにすることもできる。つまり、請求項２に示す通信装置は、通信回線を介して受信した音声データ及び画像データを一時記憶するための一時記憶手段と、該一時記憶手段に記憶された音声データに基づいて音声を再生可能な音声再生手段と、前記一時記憶手段に記憶された画像データに基づいて画像を形成可能な画像形成手段と、前記画像形成手段による画像の形成を実行させるか否かの選択を入力するための選択入力手段と、前記音声再生手段による音声の再生及び前記画像形成手段による画像の形成が可能な再生モードを指定するための再生モード指定入力手段と、該再生モード指定入力手段によって前記再生モードが指定された場合に、前記音声再生手段による音声の再生をすべて実行させた後、前記選択入力手段による入力結果に基づいて、前記画像形成手段による画像の形成を実行させる再生制御手段と、前記一時記憶手段に記憶されている画像データに基づいて前記画像形成手段による画像の形成が実行された場合には、その画像データを前記一時記憶手段から自動消去する消去手段とを備えたことを特徴とする。
【００１２】
この通信装置の場合は、再生モード指定入力手段によって再生モードが指定された場合に、再生制御手段が音声再生手段による音声の再生をすべて実行させた後、選択入力手段による入力結果に基づいて、再生制御手段が他方の処理を実行させる。この場合には、一方の処理を実行させた後で、前記画像形成手段による画像の形成を実行するかしないかを問い合わせる内容を表示装置に表示して利用者からの選択を待つようにすることが好ましい。例えば、実行するのであれば「１」を、実行しないのであれば「２」を入力させるようにすることが考えられる。例えばファクシミリ装置に適用した場合には、電話番号などの入力のために数字キーが準備されているので、これらを用いて数字で指定することが好ましい。
【００１３】
そして、消去手段が、一時記憶手段に記憶されている画像データに基づいて画像形成手段による画像の形成が実行された場合には、その画像データを一時記憶手段から自動消去するのであるが、請求項１の場合と同様、再生制御手段が、音声再生手段によるすべての音声の再生を、画像形成手段による画像の形成より先に実行させることにしている。つまり、再生制御手段は音声再生手段によるすべての音声の再生を画像形成手段による画像の形成より先に実行させ、消去手段は、所定条件において画像データを自動消去する。このように構成されているため、画像データを消去してよいのかどうか判断できない場合にも音声データの実行だけはできる。特に一般家庭で上述のファクシミリ装置を使用することを考えると、ファクシミリメッセージは父親だけが主に利用し、音声メッセージは家族全体で利用するといった状況がある。この場合、ファクシミリメッセージについてはプリントアウトしてデータは消去してもよいか、あるいはプリントアウトせずそのままデータとして残しておいた方がよいかを父親だけしか判断できないこともある。したがって、そのような場合に家族の誰でも音声メッセージは聞けるようにしておいた方がよいので、音声メッセージを先に実行する設定が好ましい。
【００１４】
また、同様にいずれか一方だけを再生したい場合も考慮したものとして次のようにしてもよい。すなわち請求項３に示す通信装置は、通信回線を介して受信した音声データ及び画像データを一時記憶するための一時記憶手段と、該一時記憶手段に記憶された音声データに基づいて音声を再生可能な音声再生手段と、前記一時記憶手段に記憶された画像データに基づいて画像を形成可能な画像形成手段と、前記音声再生手段による音声の再生と前記画像形成手段による画像の形成とを実行させる第１の処理モードと、前記再生制御手段に前記音声再生手段による音声の再生のみを実行させる第２の処理モードと、前記再生制御手段に前記画像形成手段による画像の形成のみを実行させる第３の処理モードの内で一の処理モードの選択を入力するための処理モード選択入力手段と、前記音声再生手段による音声の再生及び前記画像形成手段による画像の形成が可能な再生モードを指定するための再生モード指定入力手段と、該再生モード指定入力手段によって前記再生モードが指定された場合に、前記処理モード選択入力手段によって入力された処理モードに応じた所定の処理を実行させる再生制御手段と、前記一時記憶手段に記憶されている画像データに基づいて前記画像形成手段による画像の形成が実行された場合には、その画像データを前記一時記憶手段から自動消去する消去手段とを備え、前記再生制御手段は、前記処理モード選択入力手段により第１の処理モードが選択入力されたとき、前記音声再生手段による音声の再生をすべて実行させた後に続けて、前記画像形成手段による画像の形成を実行させることを特徴とする。
【００１５】
これも、上述したものと同様に、選択候補の処理モードの内容を表示装置に表示して利用者からの選択を待つようにすればよい。例えば、音声再生だけの実行は「１」、画像形成だけの実行は「２」、それら両方を実行する場合には「３」を入力するようにさせるのである。
【００１６】
【発明の実施の形態】
以下、本発明の実施形態を図面に基づいて説明する。
図１〜図３は本発明の通信装置が適用された実施形態としてのファクシミリ装置（電話機能付）の説明図であって、図１は外観を示す斜視図、図２はファクシミリ装置の上面側に設けられている操作パネル部分の説明図、図３は電気的構成ブロック図である。
【００１７】
図１に示すように、ファクシミリ装置１の本体１ａの側部には、受話器２１が取り付けられ、上面の前部には操作パネル２２が設けられている。また、本体１ａの上面後部には、図示しない記録紙カセットを着脱自在に装着するためのカセット装着部や原稿台などが形成されている。
【００１８】
ファクシミリ装置１は、ネットワーク・コントロール・ユニット（以下、ＮＣＵという）２と、制御手段としてのＣＰＵ３と、モデム４と、バッファ５と、ＲＯＭ６と、ＲＡＭ８と、画像メモリ９と、音声メモリ１０と、音声ＬＳＩ１１、符号化部１２と、スキャナ１３と、復号化部１４と、プリンタ１５と、操作パネル２２と、アンプ２５とを備えており、これらは信号バスライン２０を介して接続されている。
【００１９】
ファクシミリ装置１の中核となるＣＰＵ３は、回線制御用のＮＣＵ２を介して送受信される各種信号に従って、信号バスライン２０により接続された装置各部を制御してファクシミリ動作又は電話動作つまりデータ通信を実行するものである。このＣＰＵ３が本発明における「再生制御手段」に相当する。
【００２０】
また、モデム４は、画情報を変調・復調して伝送すると共に伝送制御用の各種手順信号を送受信するものであり、バッファ５は、相手側のファクシミリ装置との間で送受信される符号化された画情報を含むデータを一時的に格納するものである。
【００２１】
ＲＯＭ６は、ＣＰＵ３が実行するための制御プログラムを格納したメモリである。また、ＲＡＭ８は、動作実行時の各種データを一時格納するためのメモリであり、音声メッセージや画像メッセージの再生状態を管理するための情報（後述）を一時記憶する再生状態管理エリア８ａ等を備えている。
【００２２】
画像メモリ９は、ダイナミックＲＡＭ（ＤＲＡＭ）等により構成され、画像データを記憶する画像データ記憶エリア９ａ、及び記録のためのビットイメージを記憶するビットイメージ記憶エリア９ｂを備えている。また、音声メモリ１０は、ＤＲＡＭ等により構成され、発呼側へ送出すべき応答メッセージであるＯＧＭや、発呼側から送られてきた入来メッセージであるＩＣＭ等を記憶するメッセージエリア１０ａ、音域の異なる複数の呼出音を記憶する呼出音エリア１０ｂ（出力形態記憶手段）等を備えている。なお、画像メモリ９及び音声メモリ１０が本発明における「一時記憶手段」に相当する。
【００２３】
音声ＬＳＩ１１は、ＮＣＵ２によって受信されたアナログ音声信号をデジタル音声信号に変換すると共に、このファクシミリ装置１の内部で生成されたデジタル音声信号をアナログ音声信号に変換してＮＣＵ２に出力するものである。
符号化部１２は、送信する画情報の符号化を行うものであり、スキャナ１３は、原稿台に載置された原稿から画像を読み取るためのものである。復号化部１４は、バッファ５または画像メモリ９の画像データ記憶エリア９ａに記憶・書き込みされた受信画像データを記録のために読み出して復号化を行うものであり、プリンタ１５は受信画像データを用紙に記録するものであり、本発明における「画像形成手段」に相当する。そして本実施例では、レーザ光により感光体に潜像を形成し、それをトナーを用いて現像し、「記録媒体」としての記録紙に転写する静電電子写真記録方式を用いている。なお、画像データは、例えば、ランレングス法で圧縮符号化されて送受信される。
【００２４】
アンプ２５は、呼出音や再生したＩＣＭをスピーカ２６を介して出力させるためのものである。このアンプ２５及びスピーカ２６は「音声再生手段」に相当する。
操作パネル２２は、このファクシミリ装置１の動作状態をディスプレイ３９（図１，２参照）に表示すると共にオペレータが各種操作を行うためのものであり、その操作のために各種ボタンや表示装置などを備えている。図１，２を参照して、その内のいくつかの機能について説明する。
【００２５】
まず、ダイヤルボタン３１は、ダイヤル操作用の０〜９までの数字等からなっている。なお、カナや英字などを割り当てて、文字入力をするために利用することも可能である。
留守ボタン３３は、留守モードへの設定・解除を行なうためのもので、留守モードに設定した場合には、留守ボタンが点灯すると共に、受信した音声データを音声メモリ１０に自動記憶させる留守番メモリ機能が発揮される。
【００２６】
再生ボタン３５は、音声メモリ１０のメッセージエリア１０ａに一時記憶されている音声メッセージを再生させ、アンプ２５及びスピーカ２６を通じて外部に発音させたり、画像メモリ９の画像データ記憶エリア９ａに一時記憶されているファクシミリメッセージに関するデータに基づいて画像データを再生させ、プリンタ１５を介してプリントアウトさせるためのものである。この再生ボタン３５が本発明の「再生モード指定入力手段」に相当する。
【００２７】
なお、ファクシミリメッセージは、データを受信したらそのままプリンタ１５によって記録紙にプリントアウトするのが通常である。この場合は、他の通信装置１８から送信される画像データの所定容量分だけバッファ５に記憶し、復号化部１４にて復号化したものを画像メモリ９のビットイメージ記憶エリア９ｂに１ページ単位での記録のためにビットイメージに展開して書き込む。そして、所定の解像度によりビット展開し、これをプリンタ１５に送って１ページ単位で印刷する。但し、記録紙がない場合にはプリントアウトできないので、その場合には送信されたファクシミリメッセージの全てが画像メモリ９のビットイメージ記憶エリア９ｂに一時記憶されることとなる。また、記録紙がある場合であっても、所定のモード設定をしておくことにより、受信したものをそのままプリントアウトするのではなく、画像メモリ９に記憶させておくようにすることもできる。
【００２８】
したがって、このような場合には、再生ボタン３５を操作することによってファクシミリメッセージをプリントアウトさせることとなる。なお、このように画像メモリ９に記憶されていたファクシミリメッセージをプリントアウトさせた場合には、そのファクシミリメッセージは画像メモリ９の画像データ記憶エリア９ａから消去される。一方、音声メモリ１０に記憶されている音声メッセージは、再生ボタン３５を操作して再生させた場合でも音声メモリ１０からは消去されない。この音声メッセージを消去するために消去ボタン３７が設けられている。
【００２９】
また、上述したように音声メッセージやファクシミリメッセージが記憶されている場合には、再生ボタン３５の近傍に設けられた再生ランプ３６が点滅または点灯するようになっている。この再生ランプ３６は、例えばＬＥＤ（発光ダイオード）などで構成されており、音声メッセージあるいはファクシミリメッセージが新規記憶されており、それらについての再生がまだなされていない場合には「点滅」となる。そしてそれらのメッセージを再生させ終ると点灯または消灯となる。つまり、未再生のメッセージがある状態では点滅となるのである。そして、ファクシミリメッセージについては上述したように再生すると画像メモリ９から消去されるので、音声メッセージが音声メモリ１０に記憶されていない場合には、再生ランプ３６は消灯する。但し、音声メッセージが音声メモリ１０に記憶されている場合には、その音声メッセージは再生されても消去はされないので、このような状態を再生ランプ３６を「点灯」にして示すこととする。
【００３０】
また、ディスプレイ３９は、年月日・時刻・宛先・電話番号・各動作状態やエラーメッセージを表示するためのものであるが、音声メッセージあるいはファクシミリメッセージが記憶されている場合には、そのメッセージ数を表示するようにされている。例えば、音声メッセージが３件記憶され、ファクシミリメッセージが２件記憶されている場合には、図９（ａ）に示すように「オンセイ：０３  ファクス：０２」と表示される。
【００３１】
また、メッセージ再生に関係するボタンとして、右矢印ボタン４１と左矢印ボタン４２がある。これらのボタンは他の操作にも用いられるが、音声メッセージの再生時においては、もう一度再生し直したいときに左矢印ボタン４２を操作する。また、音声メッセージが複数ある場合にはメッセージ間に所定の音が鳴るのであるが、この音が鳴っているときに左矢印ボタン４２を操作すると、１つ前の音声メッセージを再生させることができる。また、次の音声メッセージを再生させる場合には右矢印ボタン４１を操作する。
【００３２】
かかるファクシミリ装置１は、図３に示すように、ＮＣＵ２を介して電話回線１６に接続されている。この電話回線１６は交換機１７に接続され、この交換機１７は他の通信装置１８（ファクシミリ装置や電話機等）に接続されている。そして、このファクシミリ装置１には、他の通信装置１８のダイヤル操作に応じて当該他の通信装置１８から交換機１７を介して呼出信号が入来する。このとき、ファクシミリ装置１及び他の通信装置１８の所有者が発呼者側電話番号受信サービスの加入者であるとして交換機１７に登録しているならば、最初の呼出信号と次の呼出信号の間の無音区間において、交換機１７を介して発呼者側電話番号（Caller ID ）がファクシミリ装置１に送られる交換システムになっており、アメリカではアナログの交換システムにおいてすでに実用化されている。
【００３３】
次に、このように構成されたファクシミリ装置１における再生制御に関連する処理について説明する。なお、ここでは３種類の再生制御について説明するが、図５のフローチャートが再生制御処理（その１）を示し、図８のフローチャートが再生制御処理（その２）を示し、図１０のフローチャートが再生制御処理（その３）を示しており、図６，７はそれらの再生制御処理中で実行される音声再生処理及びプリントアウト処理を示すフローチャートである。なお、本処理はプログラムの一部としてＲＯＭ６内に格納されている。
【００３４】
以下、３種類の再生制御を順番に説明していく。
［再生制御処理（その１）］
本再生制御処理は、操作パネル２２の再生ボタン３５を操作することによって実行される。処理が開始されると、まずステップ（以下、単にＳと記す）１にて、音声メッセージが記憶されているかどうかを判断する。これは音声メモリ１０のメッセージエリア１０ａ内にメッセージデータが記憶されているかどうかを知るための処理であるが、実際には、ＲＡＭ８内の再生状態管理エリア８ａの管理情報に基づいて判断することができる。この点について補足説明する。
【００３５】
再生状態管理エリア８ａには図４に示すような管理テーブルがあり、これは音声メッセージ用とファクシミリメッセージ用に分かれている。各メッセージについて、それぞれデータ番号とデータ有無、そしてその状態フラグを記憶するようになっている。データ番号は、音声メモリ１０及び画像メモリ９に記憶されているメッセージデータの番号に対応しており、その番号のメッセージデータが有る場合にはデータ有無として「１」が設定され、メッセージデータが無い場合にはデータ有無として「０」が設定される。また、状態フラグは、そのメッセージデータが再生されたかどうかを示すものであり、まだ再生されていない場合には未再生を示す「０」に設定され、再生されると再生済みを示す「１」が設定されるようになっている。
【００３６】
したがって、図５のＳ１の判断においては、図４の管理テーブルにおける音声メッセージ用のデータ有無の欄を参照して、「１」の設定されたものがあるかどうかで判断できることとなる。
音声メッセージがあると判断した場合には（Ｓ１：ＹＥＳ）、Ｓ２に移行して音声再生処理を実行する。この音声再生処理については後述するとして、音声メッセージがないと判断した場合には（Ｓ１：ＮＯ）、Ｓ２の音声再生処理を実行せずにＳ３へ移行する。
【００３７】
Ｓ３では、ファクシミリメッセージがあるかどうかを判断する。これはＳ１での音声メッセージの有無判断と同様にして行なう。すなわち、図４の管理テーブルにおけるファクシミリメッセージ用のデータ有無の欄を参照して、「１」の設定されたものがあるかどうかで判断する。
【００３８】
そして、ファクシミリメッセージがあると判断した場合には（Ｓ３：ＹＥＳ）、Ｓ４に移行してプリントアウト処理を実行する。このプリントアウト処理については後述するとして、ファクシミリメッセージがないと判断した場合には（Ｓ３：ＮＯ）、Ｓ４の音声再処理を実行せずに本再生制御処理（その１）を終了する。
【００３９】
つまり、本再生制御処理（その１）においては、音声メッセージ及びファクシミリメッセージが共にある場合には、音声メッセージの再生・ファクシミリメッセージのプリントアウトを連続して自動的に実行するのである。
ここで、上述したＳ２での音声再生処理及びＳ４でのプリントアウト処理の詳細について説明する。
【００４０】
最初に図６を参照して音声再生処理について説明する。
まず、Ｓ１１にて参照するデータ番号を１としてから、Ｓ１２において、再生状態管理エリア８ａの管理テーブル（図４参照）における音声メッセージ用の状態フラグの欄を再生済み（＝１）にセットする。そして、続くＳ１３では、該当するデータ番号（最初はＳ１１で設定した「１」がデータ番号となる）の音声メッセージを音声メモリ１０内のメッセージエリア１０ａから読み出し、アンプ２５及びスピーカ２６を通じて再生出力する。
【００４１】
その後、Ｓ１４にてデータ番号をインクリメントし、Ｓ１５にてそのデータ番号のデータがあるかどうかを判断する。これは、図４の管理テーブルにおける音声メッセージ用のデータ有無の欄を参照して「１」が設定されているかどうかで判断するのであるが、例えば、Ｓ１１にてデータ番号が１に設定され、Ｓ１４が１回実行された場合にはデータ番号は２となるので、図４の管理テーブルにおいて音声メッセージ用のデータ番号２に対応するデータ有無の欄が「１」となっているかどうかを判断することとなる。図４に示す例ではデータがあるので（Ｓ１５：ＹＥＳ）、Ｓ１２へ戻り、同様に状態フラグを１にセットしてから、そのデータ番号２の音声メッセージを再生出力する（Ｓ１３）、このようにして順番に再生出力していき、例えば図４に示す場合では、データ番号４に対応するデータ有無の欄は「０」となっているので、データが無いこととなり（Ｓ１５：ＮＯ）、これで本音声再生処理を終了して、図５のＳ３へ移行することとなる。
【００４２】
この音声再生処理を実行する際の操作パネル２２のディスプレイ３９における表示について説明しておく。メッセージが記憶されている場合にはディスプレイ３９にその記憶件数が表示される。例えば図９（ａ）に示す場合は、音声メッセージが３件、ファクシミリメッセージが２件記憶されている状態を示している。
【００４３】
そして、音声メッセージを再生する場合には、例えば最初の１秒間は図９（ｂ）に示すように、「再生中のメッセージの番号／メッセージの総件数」がディスプレイ３９に表示され、その後は図９（ｃ）に示すように、記憶された時刻と年月日が表示される。
【００４４】
なお、上述したように、音声メッセージの再生時においては、もう一度再生し直したいときに左矢印ボタン４２（図１，２参照）を操作する。また、音声メッセージが複数ある場合にはメッセージ間に所定の音（例えば「ピー」という電子音）がなるのであるが、この音が鳴っているときに左矢印ボタン４２を操作すると、１つ前の音声メッセージを再生させることができる。また、１つのメッセージの再生途中であっても右矢印ボタン４１を操作すると次の音声メッセージを再生させることができる。
【００４５】
次に図７を参照してプリントアウト処理について説明する。
まず、Ｓ２１にて参照するデータ番号を１としてから、Ｓ２２において、再生状態管理エリア８ａの管理テーブル（図４参照）におけるファクシミリメッセージ用の状態フラグの欄を再生済み（＝１）にセットする。そして、続くＳ２３では、該当するデータ番号（最初はＳ２１で設定した「１」がデータ番号となる）のファクシミリメッセージを画像メモリ９内の画像データ記憶エリア９ａから読み出し、プリンタ１５によってプリントアウトさせる。詳しくは、画像データ記憶エリア９ａから読み出した画像データの所定容量分だけバッファ５に記憶し、復号化部１４にて復号化したものを画像メモリ９のビットイメージ記憶エリア９ｂに１ページ単位での記録のためにビットイメージに展開して書き込む。そして、所定の解像度によりビット展開し、これをプリンタ１５に送って１ページ単位で印刷することとなる。なお、このプリントアウトをしている最中は、図９（ｆ）に示すように、「プリントチュウ」とディスプレイ３９に表示が出ている。
【００４６】
その後、Ｓ２４にてそのプリントアウトさせたデータを画像データ記憶エリア９ａから消去させる。これは、ファクシミリメッセージにかかるデータの場合には相対的にデータ量が大きいため、いつまでも残しておくと次にきたデータを新規に画像メモリ９に記憶できない状況が生じる可能性があるため、消去するタイミングとして、記録紙へのプリントアウトにより一応消去してもよいとしたためである。
【００４７】
続くＳ２５では、データ番号をインクリメントし、Ｓ２６にてそのデータ番号のデータがあるかどうかを判断する。これは、図４の管理テーブルにおけるファクシミリメッセージ用のデータ有無の欄を参照して「１」が設定されているかどうかで判断する。データがあれば（Ｓ２６：ＹＥＳ）、Ｓ２２へ戻り、同様に状態フラグを１にセットしてから、そのデータ番号のファクシミリメッセージをプリントアウトする（Ｓ２３）。このようにして順番に再生出力していき、例えば図４に示す場合では、データ番号３に対応するデータ有無の欄は「０」となっているので、データが無いこととなり（Ｓ２６：ＮＯ）、これで本プリントアウト処理を終了して、図５の再生制御処理（その１）が終了することとなる。
【００４８】
このように、本ファクシミリ装置１によれば、音声メッセージとファクシミリメッセージが両方記憶されている場合であっても、利用者が再生ボタン３５を操作すれば、音声メッセージの再生及びファクシミリメッセージのプリントアウトが共に可能な再生モードに指定することができ、本再生制御処理（その１）の場合には、その両方を順次自動的に実行させることができるため、使い勝手が向上する。特に、音声メッセージに関してはワンタッチで再生できるようなものが従来からあったが、ファクシミリメッセージに関しては、汎用の機能選択ボタンなどを操作してファクシミリメッセージに関する再生モードにし、さらにプリントアウトのモードを選択するといった操作が必要となってくるため、操作に熟達していない利用者にとっては使い辛いものとなる傾向にあった。それに対して本ファクシミリ装置１の場合、それらのメッセージを再生したいと思った利用者は、とりあえず再生ボタン３５を操作すればよいため非常に便利である。
【００４９】
なお、これらのいずれか一方だけを再生したい場合もある。例えば自分が内容を知りたいのは音声メッセージだけであれば、ファクシミリメッセージの方も自動的にプリントアウトされてしまうのは好ましくない場合も考えられる。そのような点を考慮したのが再生制御処理（その２）及び再生制御処理（その３）である。これらを順に説明する。
【００５０】
［再生制御処理（その２）］
この再生制御処理（その２）の場合は、操作パネル２２の再生ボタン３５を操作して処理が開始されると、Ｓ５１，Ｓ５２において、上述した再生制御処理（その１）のＳ１，Ｓ２と同様に音声メッセージがあるかどうか判断し、あれば音声再生処理（図６）を実行する処理を行なう。
【００５１】
その後のＳ５３では、上述した再生制御処理（その１）のＳ３と同様にファクシミリメッセージがあるかどうかを判断するのであるが、メッセージがあった場合には、すぐにプリントアウト処理をするのではなく、Ｓ５４に示すように、処理モードの選択表示を操作パネル２２のディスプレイ３９（図１，２参照）に出すのである。これは、具体的には図９の（ｄ）及び（ｅ）の表示をディスプレイ３９にサイクリックに表示することで行なう。つまり、（ｄ）の「ファクス  プリントアウト」と所定時間表示した後、（ｅ）の「１．スル  ２．シナイ」を所定時間表示することを繰り返すのである。
【００５２】
そして、Ｓ５５においてはプリントアウトが選択されたかどうかを判断する。具体的には、Ｓ５４での選択表示を見た利用者は、ファクシミリメッセージをプリントアウトさせたい場合にはダイヤルボタン３１（図１，２参照）の「１」を操作し、プリントアウトしないのであれば同じくダイヤルボタン３１の「２」を操作する取り決めとなっているので、ダイヤルボタン３１の「１」が操作されれば（Ｓ５５：ＹＥＳ）、Ｓ５６に移行してプリントアウト処理を実行し、「２」が操作されれば（Ｓ５５：ＮＯ）、本再生制御処理（その２）を終了する。Ｓ５６でのプリントアウト処理は図６で説明した内容と同じであるので、ここでは省略する。
【００５３】
なお、このようにダイヤルボタン３１によってプリントアウトの実行させるか否かを選択するようにしているので、このダイヤルボタン３１が請求項２でいうところの「選択入力手段」に相当する。
このように、本再生制御処理（その２）のようにすれば、再生ボタン３５を操作すると音声メッセージは自動的に再生されるが、ファクシミリメッセージについてはプリントアウトするかどうかを利用者自身が選択することができる。したがって、例えば自分が内容を知りたいのは音声メッセージだけであり、ファクシミリメッセージについてのプリントアウトは不要である場合に対応できる。
【００５４】
また、本実施形態においてはファクシミリメッセージをプリントアウトさせた場合はそのデータを画像データ記憶エリア９ａから消去させるようにしているため、音声メッセージの再生にかかる処理を先に実行した方が好ましい。その理由を説明する。つまり、このような自動消去機能を持たせた場合には、そのファクシミリメッセージ用のデータを消去してしまってよいのかどうか判断できない場合があるが、音声メッセージの再生を先に実行して、その後ファクシミリメッセージのプリントアウトをするかどうかを選択する手法であれば、音声メッセージの実行だけは確実にできるからである。特に一般家庭でファクシミリ装置１を使用することを考えると、ファクシミリメッセージは父親だけが主に利用し、音声メッセージは家族全体で利用するといった状況がある。この場合、ファクシミリメッセージについてはプリントアウトしてデータは消去してもよいか、あるいはプリントアウトせずそのままデータとして残しておいた方がよいかを父親だけしか判断できないこともある。したがって、そのような場合に家族の誰でも音声メッセージは聞けるようにしておいた方がよいので、音声メッセージを先に実行する設定が好ましいと考えられる。
【００５５】
［再生制御処理（その３）］
次に、再生制御処理（その３）について説明する。
上述した再生制御処理（その２）においては、音声メッセージがあればその音声メッセージの再生処理だけは実行し、その後にファクシミリメッセージのプリントアウトをするかしないかを利用者に選択させるようにしていたが、本再生制御処理（その３）では、図１０のフローチャートに示すように、最初のステップＳ７１において、１）音声メッセージの再生のみの実行、２）ファクシミリメッセージのプリントアウトのみの実行、３）音声メッセージの再生及びファクシミリメッセージのプリントアウト（１）＋２））を共に実行、のいずれかをまず選択させるのである。この場合もダイヤルボタン３１の操作により選択させるようにし、例えば１）の音声再生だけの実行は「１」、２）のプリントアウトだけの実行は「２」、３）の両方を実行する場合には「３」をそれぞれ入力するようにすればよい。
【００５６】
続くＳ７２では、選択結果を判断し、１）であればＳ７３へ移行し、２）であればＳ７５へ移行し、３）であればＳ７７へ移行する。
Ｓ７３へ移行した場合には音声メッセージがあるかどうかを判断し、もしもあれば（Ｓ７３：ＹＥＳ）、Ｓ７４にて音声再生処理を実行する。これらの判断処理あるいは音声再生処理は、再生制御処理（その１）にて説明した内容と同様なのでここでは詳しい説明は省略する。但し、音声メッセージがない場合（Ｓ７３：ＮＯ）は、そのまま本再生制御処理（その３）を終了する。つまり、音声メッセージの再生だけを実行して終了することとなる。
【００５７】
また、Ｓ７５へ移行した場合にはファクシミリメッセージがあるかどうかを判断し、もしもあれば（Ｓ７５：ＹＥＳ）、Ｓ７６にてプリントアウト処理を実行する。これらの判断処理あるいはプリントアウト処理は、再生制御処理（その１）にて説明した内容と同様なのでここでは詳しい説明は省略する。但し、ファクシミリメッセージがない場合（Ｓ７５：ＮＯ）は、そのまま本再生制御処理（その３）を終了する。つまり、ファクシミリメッセージの再生だけを実行して終了することとなる。
【００５８】
そして、Ｓ７７へ移行した場合には、音声メッセージがあれば（Ｓ７７：ＹＥＳ）、Ｓ７８での音声再生処理を実行し、音声メッセージがない場合（Ｓ７７：ＮＯ）及びＳ７８での音声再生処理を実行し終えた場合にはＳ７９に移行する。そして、ファクシミリメッセージがあれば（Ｓ７９：ＹＥＳ）、Ｓ８０でのプリントアウト処理を実行し、ファクシミリメッセージがない場合（Ｓ７９：ＮＯ）及びＳ８０でのプリントアウト処理を実行し終えた場合には本再生制御処理（その３）を終了する。このＳ７７〜Ｓ８０の処理は上述の再生制御処理（その１）と同じである。
【００５９】
このように、本再生制御処理（その３）のようにすれば、再生ボタン３５を操作した後で自分が所望する再生処理モードを選択すれば、音声メッセージだけ再生させたり、ファクシミリメッセージだけプリントアウトさせたり、その両方を実行させたりすることができる。
なお、特許請求の範囲の記載事項との対応を説明しておくと、Ｓ７１において選択させる候補として挙げた１）音声メッセージの再生のみの実行が請求項３における「第２の処理モード」に相当し、２）ファクシミリメッセージのプリントアウトのみの実行が「第３の処理モード」に相当する。そして、３）音声メッセージの再生及びファクシミリメッセージのプリントアウトが「第１の処理モード」に相当する。また、この場合もダイヤルボタン３１の操作により処理モードを選択させるようにしているので、このダイヤルボタン３１が請求項３でいうところの「処理モード選択入力手段」に相当する。
【００６０】
以上、本発明はこのような実施形態に何等限定されるものではなく、本発明の主旨を逸脱しない範囲において種々なる形態で実施し得る。
例えば上記実施形態では、再生制御処理（その２）におけるファクシミリメッセージのプリントアウトを実行するかどうかの選択、あるいは再生制御処理（その３）における処理モードの選択をダイヤルボタン３１を利用して行っていたが、それ以外のボタンによって行うような構成でもよい。但し、ダイヤルボタン３１は元々は電話番号などの入力のために準備されたものであり、これを利用するようにすれば、新規にボタンを設ける必要がないので、有利ではある。
【００６１】
なお、本発明の通信装置としては、ファクシミリ装置に限らず、通信回線を介して送信された音声データ及び画像データを一時記憶しておき、利用者が操作子を操作することによって再生及び画像形成できるような機構を備えるものであれば同様に適用可能である。したがって、上記実施形態ではファクシミリ装置１として説明し、「記録媒体」としての記録紙上に画像を形成するようにしたが、それ以外にも表示装置の表示面上に画像を形成するようにしてもよい。
【図面の簡単な説明】
【図１】  実施形態のファクシミリ装置の外観を示す斜視図である。
【図２】  実施形態のファクシミリ装置の上面側に設けられている操作パネル部分の説明図である。
【図３】  実施形態のファクシミリ装置のブロック図である。
【図４】  再生状態管理エリア内の管理テーブルの説明図である。
【図５】  実施形態のファクシミリ装置が実行する再生制御処理（その１）を示すフローチャートである。
【図６】  実施形態のファクシミリ装置が実行する音声再生処理を示すフローチャートである。
【図７】  実施形態のファクシミリ装置が実行するプリントアウト処理を示すフローチャートである。
【図８】  実施形態のファクシミリ装置が実行する再生制御処理（その２）を示すフローチャートである。
【図９】  再生制御中のディスプレイへの表示内容の説明図である。
【図１０】  実施形態のファクシミリ装置が実行する再生制御処理（その３）を示すフローチャートである。
【符号の説明】
１…ファクシミリ装置          １ａ…本体
５…バッファ                    ８…ＲＡＭ
８ａ…再生状態管理エリア          ９…画像メモリ
９ａ…画像データ記憶エリア      ９ｂ…ビットイメージ記憶エリア
１０…音声メモリ              １０ａ…メッセージエリア
１０ｂ…呼出音エリア              １１…音声ＬＳＩ
１４…復号化部                  １５…プリンタ
１６…電話回線                  ２２…操作パネル
２５…アンプ                    ２６…スピーカ
３１…ダイヤルボタン            ３３…留守ボタン
３５…再生ボタン                ３６…再生ランプ
３７…消去ボタン                ３９…ディスプレイ
４１…右矢印ボタン              ４２…左矢印ボタン
【図１】
0003674180.tif 000002
【図２】
0003674180.tif 000003
【図３】
0003674180.tif 000004
【図４】
0003674180.tif 000005
【図５】
0003674180.tif 000006
【図６】
0003674180.tif 000007
【図７】
0003674180.tif 000008
【図８】
0003674180.tif 000009
【図９】
0003674180.tif 000010
【図１０】
0003674180.tif 000011